【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
無線ローカルエリアネットワーク(WLAN)ベースの位置決定のために構成されるユーザ機器(UE)の装置であって、当該装置は、1つ又は複数のプロセッサ及びメモリを含み、
前記1つ又は複数のプロセッサは、
ロケーションサーバから受信した支援データメッセージを復号化するように構成され、前記支援データメッセージは、無線ローカルエリアネットワーク(WLAN)位置情報を含み、前記無線ローカルエリアネットワーク(WLAN)位置情報は、無線ローカルエリアネットワーク(WLAN)ベースの位置決定の際に前記ユーザ機器(UE)を支援し、前記無線ローカルエリアネットワーク(WLAN)位置情報は、1つ又は複数の無線ローカルエリアネットワーク(WLAN)アクセスポイント(AP)を識別し、前記ロケーションサーバに前記1つ又は複数の無線ローカルエリアネットワーク(WLAN)アクセスポイント(AP)に関する測定値を提供するために、前記ユーザ機器(UE)によって使用され、
前記ロケーションサーバへの送信のために位置情報メッセージを符号化するように構成され、前記位置情報メッセージは、無線ローカルエリアネットワーク(WLAN)測定情報を含み、
前記無線ローカルエリアネットワーク(WLAN)測定情報は、複数の無線ローカルエリアネットワーク(WLAN)アクセスポイント(AP)のうちの1つ又は複数の無線ローカルエリアネットワーク(WLAN)アクセスポイント(AP)からの信号の測定に関する無線ローカルエリアネットワーク(WLAN)測定リスト、1つ又は複数のビーコン受信信号強度インジケータ(ビーコンRSSI)、又は、1つ又は複数の往復時間(RTT)インジケータのうちの1つ又は複数を含み、
前記メモリは、前記無線ローカルエリアネットワーク(WLAN)位置情報を格納するように構成される、
装置。
【請求項２】
信号の測定に関する前記無線ローカルエリアネットワーク(WLAN)測定リストは、前記1つ又は複数のビーコン受信信号強度インジケータ(ビーコンRSSI)及び前記1つ又は複数の往復時間(RTT)インジケータを含む、請求項１に記載の装置。
【請求項３】
前記位置情報メッセージは、前記ユーザ機器(UE)についての位置の推定値を決定するために前記ロケーションサーバによって使用されるように構成される、請求項１及び２のいずれか１項に記載の装置。
【請求項４】
前記無線ローカルエリアネットワーク(WLAN)位置情報は、1つ又は複数の無線ローカルエリアネットワーク(WLAN)アクセスポイント(AP)の識別子及び1つ又は複数のアクセスポイント(AP)のチャネル周波数インジケータを含む、請求項１乃至３のいずれか１項に記載の装置。
【請求項５】
前記1つ又は複数の無線ローカルエリアネットワーク(WLAN)アクセスポイント(AP)の識別子のうちのいずれかは、それぞれの無線ローカルエリアネットワーク(WLAN)アクセスポイント(AP)と関連する基本サービスセット識別子(BSSID)を特定するように構成され、前記1つ又は複数のビーコン受信信号強度インジケータ(ビーコンRSSI)のうちのいずれかは、無線ローカルエリアネットワーク(WLAN)アクセスポイント(AP)から受信され、前記ユーザ機器(UE)によって測定されるビーコンフレームの信号強度を特定するように構成され、前記1つ又は複数の往復時間(RTT)インジケータのうちのいずれかは、前記ユーザ機器(UE)と無線ローカルエリアネットワーク(WLAN)アクセスポイント(AP)との間の往復時間(RTT)測定値を特定するように構成され、前記1つ又は複数のアクセスポイント(AP)チャネル周波数インジケータのうちのいずれかは、無線ローカルエリアネットワーク(WLAN)アクセスポイント(AP)のチャネル周波数を識別するように構成される、請求項４に記載の装置。
【請求項６】
前記1つ又は複数のプロセッサは、さらに、
ロケーションサーバから受信した能力要求メッセージを復号化するように構成され、前記能力要求メッセージは、前記ユーザ機器(UE)からの無線ローカルエリアネットワーク(WLAN)の位置決定能力の要求を含み、
前記ロケーションサーバに送信されて、無線ローカルエリアネットワーク(WLAN)プロトコルにしたがった前記ユーザ機器(UE)の位置決定能力を示す能力応答メッセージを符号化するように構成され、前記ロケーションサーバから受信した前記支援データメッセージは、前記ユーザ機器(UE)の前記位置決定能力に基づいている、請求項１乃至５のいずれか１項に記載の装置。
【請求項７】
前記位置情報メッセージは、1つ又は複数の進化型Node-B(eNB)からの信号に関する測定値を含む、請求項６に記載の装置。
【請求項８】
前記ロケーションサーバは、進化型サービングモバイルロケーションセンタ(E-SMLC)及びセキュアユーザプレーンロケーションプラットフォーム(SLP)のうちの少なくとも1つを含む、請求項１乃至７のいずれか１項に記載の装置。
【請求項９】
1つ又は複数のプロセッサによって実行されて、測定報告のための動作を実行するための命令を含むコンピュータプログラムであって、前記動作は、前記1つ又は複数のプロセッサを、
ロケーションサーバから受信した支援データメッセージを復号化するように構成し、前記支援データメッセージは、無線ローカルエリアネットワーク(WLAN)位置情報を含み、前記無線ローカルエリアネットワーク(WLAN)位置情報は、無線ローカルエリアネットワーク(WLAN)ベースの位置決定の際にユーザ機器(UE)を支援し、前記無線ローカルエリアネットワーク(WLAN)位置情報は、1つ又は複数の無線ローカルエリアネットワーク(WLAN)アクセスポイント(AP)を識別し、前記ロケーションサーバに前記1つ又は複数の無線ローカルエリアネットワーク(WLAN)アクセスポイント(AP)に関する測定値を提供するために、前記ユーザ機器(UE)によって使用され、
前記ロケーションサーバへの送信のために位置情報メッセージを符号化するように構成し、前記位置情報メッセージは、無線ローカルエリアネットワーク(WLAN)測定情報を含み、前記無線ローカルエリアネットワーク(WLAN)測定情報は、複数の無線ローカルエリアネットワーク(WLAN)アクセスポイント(AP)のうちの1つ又は複数の無線ローカルエリアネットワーク(WLAN)アクセスポイント(AP)からの信号の測定に関する無線ローカルエリアネットワーク(WLAN)測定リスト、1つ又は複数のビーコン受信信号強度インジケータ(ビーコンRSSI)、又は、1つ又は複数の往復時間(RTT)インジケータのうちの1つ又は複数を含む、
コンピュータプログラム。
【請求項１０】
信号の測定に関する前記無線ローカルエリアネットワーク(WLAN)測定リストは、前記1つ又は複数のビーコン受信信号強度インジケータ(ビーコンRSSI)及び前記1つ又は複数の往復時間(RTT)インジケータを含む、請求項９に記載のコンピュータプログラム。
【請求項１１】
前記位置情報メッセージは、前記ユーザ機器(UE)についての位置の推定値を決定するために前記ロケーションサーバによって使用されるように構成される、請求項９及び１０のいずれか１項に記載のコンピュータプログラム。
【請求項１２】
前記無線ローカルエリアネットワーク(WLAN)位置情報は、1つ又は複数の無線ローカルエリアネットワーク(WLAN)アクセスポイント(AP)の識別子及び1つ又は複数のアクセスポイント(AP)のチャネル周波数インジケータを含む、請求項９乃至１１のいずれか１項に記載のコンピュータプログラム。
【請求項１３】
前記1つ又は複数の無線ローカルエリアネットワーク(WLAN)アクセスポイント(AP)の識別子のうちのいずれかは、それぞれの無線ローカルエリアネットワーク(WLAN)アクセスポイント(AP)と関連する基本サービスセット識別子(BSSID)を特定するように構成され、前記1つ又は複数のビーコン受信信号強度インジケータ(ビーコンRSSI)のうちのいずれかは、無線ローカルエリアネットワーク(WLAN)アクセスポイント(AP)から受信され、前記ユーザ機器(UE)によって測定されるビーコンフレームの信号強度を特定するように構成され、前記1つ又は複数の往復時間(RTT)インジケータのうちのいずれかは、前記ユーザ機器(UE)と無線ローカルエリアネットワーク(WLAN)アクセスポイント(AP)との間の往復時間(RTT)測定値を特定するように構成され、前記1つ又は複数のアクセスポイント(AP)チャネル周波数インジケータのうちのいずれかは、無線ローカルエリアネットワーク(WLAN)アクセスポイント(AP)のチャネル周波数を識別するように構成される、請求項１２に記載のコンピュータプログラム。
【請求項１４】
前記動作は、前記1つ又は複数のプロセッサを、
ロケーションサーバから受信した能力要求メッセージを復号化するように構成し、前記能力要求メッセージは、前記ユーザ機器(UE)からの無線ローカルエリアネットワーク(WLAN)の位置決定能力の要求を含み、
前記ロケーションサーバに送信されて、無線ローカルエリアネットワーク(WLAN)プロトコルにしたがった前記ユーザ機器(UE)の位置決定能力を示す能力応答メッセージを符号化するように構成し、前記ロケーションサーバから受信した前記支援データメッセージは、前記ユーザ機器(UE)の前記位置決定能力に基づいている、請求項９乃至１３のいずれか１項に記載のコンピュータプログラム。
【請求項１５】
無線ローカルエリアネットワーク(WLAN)ベースの位置決定のために構成されるユーザ機器(UE)によって実行される方法であって、
ロケーションサーバから受信した支援データメッセージを復号化するステップであって、前記支援データメッセージは、無線ローカルエリアネットワーク(WLAN)位置情報を含み、前記無線ローカルエリアネットワーク(WLAN)位置情報は、無線ローカルエリアネットワーク(WLAN)ベースの位置決定の際に前記ユーザ機器(UE)を支援し、前記無線ローカルエリアネットワーク(WLAN)位置情報は、1つ又は複数の無線ローカルエリアネットワーク(WLAN)アクセスポイント(AP)を識別し、前記ロケーションサーバに前記1つ又は複数の無線ローカルエリアネットワーク(WLAN)アクセスポイント(AP)に関する測定値を提供するために、前記ユーザ機器(UE)によって使用される、ステップと、
前記ロケーションサーバへの送信のために位置情報メッセージを符号化するステップであって、前記位置情報メッセージは、無線ローカルエリアネットワーク(WLAN)測定情報を含み、前記無線ローカルエリアネットワーク(WLAN)測定情報は、複数の無線ローカルエリアネットワーク(WLAN)アクセスポイント(AP)のうちの1つ又は複数の無線ローカルエリアネットワーク(WLAN)アクセスポイント(AP)からの信号の測定に関する無線ローカルエリアネットワーク(WLAN)測定リスト、1つ又は複数のビーコン受信信号強度インジケータ(ビーコンRSSI)、又は、1つ又は複数の往復時間(RTT)インジケータのうちの1つ又は複数を含む、ステップと、を含む、
方法。
【請求項１６】
信号の測定に関する前記無線ローカルエリアネットワーク(WLAN)測定リストは、前記1つ又は複数のビーコン受信信号強度インジケータ(ビーコンRSSI)及び前記1つ又は複数の往復時間(RTT)インジケータを含む、請求項１５に記載の方法。
【請求項１７】
前記位置情報メッセージは、前記ユーザ機器(UE)についての位置の推定値を決定するために前記ロケーションサーバによって使用されるように構成される、請求項１５及び１６のいずれか１項に記載の方法。
【請求項１８】
前記無線ローカルエリアネットワーク(WLAN)位置情報は、1つ又は複数の無線ローカルエリアネットワーク(WLAN)アクセスポイント(AP)の識別子及び1つ又は複数のアクセスポイント(AP)のチャネル周波数インジケータを含む、請求項１５乃至１７のいずれか１項に記載の方法。
【請求項１９】
前記1つ又は複数の無線ローカルエリアネットワーク(WLAN)アクセスポイント(AP)の識別子のうちのいずれかは、それぞれの無線ローカルエリアネットワーク(WLAN)アクセスポイント(AP)と関連する基本サービスセット識別子(BSSID)を特定するように構成され、前記1つ又は複数のビーコン受信信号強度インジケータ(ビーコンRSSI)のうちのいずれかは、無線ローカルエリアネットワーク(WLAN)アクセスポイント(AP)から受信され、前記ユーザ機器(UE)によって測定されるビーコンフレームの信号強度を特定するように構成され、前記1つ又は複数の往復時間(RTT)インジケータのうちのいずれかは、前記ユーザ機器(UE)と無線ローカルエリアネットワーク(WLAN)アクセスポイント(AP)との間の往復時間(RTT)測定値を特定するように構成され、前記1つ又は複数のアクセスポイント(AP)チャネル周波数インジケータのうちのいずれかは、無線ローカルエリアネットワーク(WLAN)アクセスポイント(AP)のチャネル周波数を識別するように構成される、請求項１８に記載の方法。
【請求項２０】
ロケーションサーバから受信した能力要求メッセージを復号化するステップであって、前記能力要求メッセージは、前記ユーザ機器(UE)からの無線ローカルエリアネットワーク(WLAN)の位置決定能力の要求を含む、ステップと、
前記ロケーションサーバに送信されて、無線ローカルエリアネットワーク(WLAN)プロトコルにしたがった前記ユーザ機器(UE)の位置決定能力を示す能力応答メッセージを符号化するステップであって、前記ロケーションサーバから受信した前記支援データメッセージは、前記ユーザ機器(UE)の前記位置決定能力に基づいている、ステップと、をさらに含む、請求項１５乃至１９のいずれか１項に記載の方法。
【請求項２１】
前記位置情報メッセージは、1つ又は複数の進化型Node-B(eNB)からの信号に関する測定値を含む、請求項１５乃至２０のいずれか１項に記載の方法。
【請求項２２】
前記ロケーションサーバは、進化型サービングモバイルロケーションセンタ(E-SMLC)及びセキュアユーザプレーンロケーションプラットフォーム(SLP)のうちの少なくとも1つを含む、請求項１７に記載の方法。
【請求項２３】
ロケーションサーバ及びユーザ機器(UE)を含むシステムであって、
前記ロケーションサーバは、
ユーザ機器(UE)への送信のために支援データメッセージを符号化するように構成され、前記支援データメッセージは、無線ローカルエリアネットワーク(WLAN)位置情報を含み、前記無線ローカルエリアネットワーク(WLAN)位置情報は、無線ローカルエリアネットワーク(WLAN)ベースの位置決定の際に前記ユーザ機器(UE)を支援し、前記無線ローカルエリアネットワーク(WLAN)位置情報は、1つ又は複数の無線ローカルエリアネットワーク(WLAN)アクセスポイント(AP)を識別し、前記ロケーションサーバに前記1つ又は複数の無線ローカルエリアネットワーク(WLAN)アクセスポイント(AP)に関する測定値を提供するために、前記ユーザ機器(UE)によって使用され、前記無線ローカルエリアネットワーク(WLAN)位置情報は、無線ローカルエリアネットワーク(WLAN)アクセスポイント(AP)の識別子及びアクセスポイント(AP)のチャネル周波数インジケータのうちの1つ又は複数を含み、
前記ユーザ機器(UE)は、
前記ロケーションサーバから受信した前記支援データメッセージを復号化し、
前記ロケーションサーバへの送信のために位置情報メッセージを符号化するように構成され、前記位置情報メッセージは、無線ローカルエリアネットワーク(WLAN)測定情報を含み、前記無線ローカルエリアネットワーク(WLAN)測定情報は、複数の無線ローカルエリアネットワーク(WLAN)アクセスポイント(AP)のうちの1つ又は複数の無線ローカルエリアネットワーク(WLAN)アクセスポイント(AP)からの信号の測定に関する無線ローカルエリアネットワーク(WLAN)測定リスト、1つ又は複数のビーコン受信信号強度インジケータ(ビーコンRSSI)、又は、1つ又は複数の往復時間(RTT)インジケータのうちの1つ又は複数を含む、
システム。
【請求項２４】
信号の測定に関する前記無線ローカルエリアネットワーク(WLAN)測定リストは、前記1つ又は複数のビーコン受信信号強度インジケータ(ビーコンRSSI)及び前記1つ又は複数の往復時間(RTT)インジケータを含む、請求項２３に記載のシステム。
【請求項２５】
無線ローカルエリアネットワーク(WLAN)ベースの位置決定のために構成されるユーザ機器(UE)の装置であって、当該装置は、
ロケーションサーバから受信した支援データメッセージを復号化する手段であって、前記支援データメッセージは、無線ローカルエリアネットワーク(WLAN)位置情報を含み、前記無線ローカルエリアネットワーク(WLAN)位置情報は、無線ローカルエリアネットワーク(WLAN)ベースの位置決定を支援し、前記無線ローカルエリアネットワーク(WLAN)位置情報は、1つ又は複数の無線ローカルエリアネットワーク(WLAN)アクセスポイント(AP)を識別し、前記ロケーションサーバに前記1つ又は複数の無線ローカルエリアネットワーク(WLAN)アクセスポイント(AP)に関する測定値を提供するのに使用される、手段と、
前記ロケーションサーバへの送信のために位置情報メッセージを符号化する手段であって、前記位置情報メッセージは、無線ローカルエリアネットワーク(WLAN)測定情報を含み、前記無線ローカルエリアネットワーク(WLAN)測定情報は、複数の無線ローカルエリアネットワーク(WLAN)アクセスポイント(AP)のうちの1つ又は複数の無線ローカルエリアネットワーク(WLAN)アクセスポイント(AP)からの信号の測定に関する無線ローカルエリアネットワーク(WLAN)測定リスト、1つ又は複数のビーコン受信信号強度インジケータ(ビーコンRSSI)、又は、1つ又は複数の往復時間(RTT)インジケータのうちの1つ又は複数を含む、手段と、
前記無線ローカルエリアネットワーク(WLAN)位置情報を格納する手段と、を含む、
装置。
【請求項２６】
請求項９乃至１４のいずれか１項に記載のコンピュータプログラムを格納しているコンピュータ読み取り可能なハードウェア記憶装置。